(57)【要約】  本発明の実施例によるバッテリーパックは、内部にバッテリーセルを収容するように構成されるハウジングユニットを含むことができ、ハウジングユニットは、第１接触面を備える第１ハウジングと、第１接触面に対向する第２接触面を備える第２ハウジングとを含むことができ、第１ハウジング及び第２ハウジングは、第１接触面及び第２接触面が互いに接触して互いに対して押圧された状態で溶接によって結合されることができ、第１ハウジングの外面には、第１ハウジングを第２ハウジングに向けて押圧する第１押圧モジュールが接触する第１支持部を備えることができ、第２ハウジングの外面には、第２ハウジングを第１ハウジングに向けて押圧する第２押圧モジュールが接触する第２支持部を備えることができる。
2021516426.tif 000002
【特許請求の範囲】
【請求項１】
内部にバッテリーセルを収容するように構成されたハウジングユニットを含むバッテリーパックであって、
前記ハウジングユニットは、第１接触面を備える第１ハウジングと、前記第１接触面に対向する第２接触面を備える第２ハウジングと、を含み、
前記第１ハウジング及び前記第２ハウジングは、前記第１接触面及び前記第２接触面が互いに接触して互いに対して押圧された状態で溶接によって結合されており、
前記第１ハウジングの外面には、前記第１ハウジングを前記第２ハウジングに向けて押圧する第１押圧モジュールが接触する第１支持部を備え、
前記第２ハウジングの外面には、前記第２ハウジングを前記第１ハウジングに向けて押圧する第２押圧モジュールが接触する第２支持部を備える、バッテリーパック。
【請求項２】
前記第１支持部は、前記第１ハウジングの外面から外側に突出し、前記第１接触面を含むフランジ形状に形成されている、請求項１に記載のバッテリーパック。
【請求項３】
前記第２支持部は、前記第２ハウジングの外面から外側に突出し、前記第２接触面を含むフランジ形状に形成されている、請求項１または２に記載のバッテリーパック。
【請求項４】
前記第１支持部は、前記第１ハウジングの外面から外側に突出するリブ形状に形成されている、請求項１から３のいずれか一項に記載のバッテリーパック。
【請求項５】
前記第２支持部は、前記第２ハウジングの外面から外側に突出するリブ形状に形成されている、請求項１から４のいずれか一項に記載のバッテリーパック。
【請求項６】
請求項１から５のいずれか一項に記載のバッテリーパックを備える、デバイス。
【請求項７】
前記デバイスは、コンピュータ、携帯電話、ウェアラブル電子機器、動力工具（power tool）、電気自動車（Ｅｌｅｃｔｒｉｃ  Ｖｅｈｉｃｌｅ：ＥＶ）、ハイブリッド電気自動車、プラグインハイブリッド電気自動車、電気二輪車、電気ゴルフカート、又は電力貯蔵装置のいずれか一つである、請求項６に記載のデバイス。
【請求項８】
内部にバッテリーセルを収容するように構成され、第１ハウジング及び第２ハウジングを含むハウジングユニットを含むバッテリーパックを組み立てるように構成されたバッテリーパック組立装置であって、
前記第１ハウジングの外面に形成された第１支持部に結合される第１押圧モジュールと、
前記第２ハウジングの外面に形成された第２支持部に結合される第２押圧モジュールと、
を含み、
前記第１押圧モジュールが前記第１支持部に接触し、前記第２押圧モジュールが前記第２支持部に接触した状態で前記第１押圧モジュール及び前記第２押圧モジュールを互いに近接する方向に移動させて前記第１ハウジング及び前記第２ハウジングを互いに対して押圧する、バッテリーパック組立装置。
【請求項９】
前記第１支持部は前記第１ハウジングの外面から突出し、前記第１ハウジングの周囲方向に延び、
前記第１押圧モジュールは前記第１ハウジングの周囲方向に延びて前記第１支持部の全体を押圧するように構成されている、請求項８に記載のバッテリーパック組立装置。
【請求項１０】
前記第２支持部は前記第２ハウジングの外面から突出し、前記第２ハウジングの周囲方向に延び、
前記第２押圧モジュールは前記第２ハウジングの周囲方向に延びて前記第２支持部の全体を押圧するように構成されている、請求項８または９に記載のバッテリーパック組立装置。
【発明の詳細な説明】
【技術分野】
【０００１】
本発明はバッテリーパック及びバッテリーパックを組み立てるのに使われるバッテリーパック組立装置に関するものである。
【背景技術】
【０００２】
本出願は２０１９年０１月０３日付の韓国特許出願第２０１９−００００６４３号に基づく優先権の利益を主張し、当該韓国特許出願の文献に開示された全ての内容はこの明細書の一部として含まれる。
【０００３】
最近、ノートブック型コンピュータ、スマートフォン、タブレット型コンピュータのような携帯用電子機器の需要が増大するのに従い、反復的な充放電の可能な高性能二次電池に対する研究が活発に行われている。
【０００４】
また、携帯用電子機器のような小型装置だけではなく、自動車、ロボット、衛星のような中大型装置にも二次電池が広く用いられている。特に、化石燃料の枯渇及び環境汚染に対する関心が高くなるのに従い、ハイブリッド自動車と電気自動車に対する研究が活発に行われている。このようなハイブリッド自動車や電気自動車において最も核心的な部品はモーターに電力を供給するバッテリーパックである。バッテリーパックは複数のバッテリーセルを含むバッテリーモジュールを含み、複数のバッテリーセルが互いに直列及び／又は並列で連結されることにより、バッテリーモジュールの容量及び出力が増大する。
【０００５】
基本的に、バッテリーセルは、複数の電極板を分離膜を挟んで積層し、複数の電極板に複数の電極タブをそれぞれ溶接して電極組立体を形成した後、電極組立体をアルミニウムパウチで包んで密封する工程によって製造される。
【０００６】
バッテリーパックは、バッテリーセルを収容するように構成されるハウジングユニットを含む。ハウジングユニットは上部ハウジング及び下部ハウジングから構成され、上部ハウジング及び下部ハウジングが互いに結合されることによってハウジングユニットが組み立てられる。
【０００７】
ハウジングユニットを組み立てる過程では、上部ハウジングの接触面及び下部ハウジングの接触面が互いに接触した状態で上部ハウジングがジグによって下部ハウジングに対して押圧される。このような状態で、上部ハウジングの接触面及び下部ハウジングの接触面が互いに溶接されることによってハウジングユニットが組み立てられる。
【０００８】
従来のバッテリーパックの場合、ハウジングユニットを組み立てる過程で上部ハウジングのみジグによって押圧するので、上部ハウジングの接触面及び下部ハウジングの接触面が完全に接触しないことがあり、よって、上部ハウジングの接触面及び下部ハウジングの接触面が互いに適切に溶接されない問題が発生し得る。
【０００９】
また、従来のバッテリーパックの場合、ハウジングユニットを組み立てる過程で上部ハウジングのみジグによって押圧するので、上部ハウジングを押圧するための押圧力が作業者によって変わることがあり、これにより、上部ハウジング及び下部ハウジングの間の溶接状態が作業者によって変わることがあるので、バッテリーパックの品質が一様でない問題が発生し得る。
【発明の概要】
【発明が解決しようとする課題】
【００１０】
本発明は従来技術の問題を解決するためのものであり、本発明の目的は、ハウジングユニットを構成する第１ハウジング及び第２ハウジングを互いに対して一緒に押圧するように構成することにより、第１ハウジング及び第２ハウジングの間の溶接品質を向上することができるバッテリーパックを提供することにある。
【００１１】
本発明の他の目的は、第１押圧モジュール及び第２押圧モジュールを使って第１ハウジング及び第２ハウジングをそれぞれ互いに対して押圧するように構成することにより、第１ハウジング及び第２ハウジングの間の溶接品質を向上させることができるバッテリーパック組立装置を提供することにある。
【課題を解決するための手段】
【００１２】
前述した目的を達成するための本発明の実施例によるバッテリーパックは、内部にバッテリーセルを収容するように構成されたハウジングユニットを含むことができ、ハウジングユニットは、第１接触面を備える第１ハウジングと、第１接触面に対向する第２接触面を備える第２ハウジングとを含むことができ、第１ハウジング及び第２ハウジングは、第１接触面及び第２接触面が互いに接触して互いに対して押圧された状態で溶接によって結合することができ、第１ハウジングの外面には、第１ハウジングを第２ハウジングに向けて押圧する第１押圧モジュールが接触する第１支持部を備えることができ、第２ハウジングの外面には、第２ハウジングを第１ハウジングに向けて押圧する第２押圧モジュールが接触する第２支持部を備えることができる。
【００１３】
第１支持部は、第１ハウジングの外面から外側に突出し、第１接触面を含むフランジ形状に形成することができる。
【００１４】
第２支持部は、第２ハウジングの外面から外側に突出し、第２接触面を含むフランジ形状に形成することができる。
【００１５】
第１支持部は、第１ハウジングの外面から外側に突出するリブ形状に形成することができる。
【００１６】
第２支持部は、第２ハウジングの外面から外側に突出するリブ形状に形成することができる。
【００１７】
また、前述した目的を達成するための本発明の実施例によるバッテリーパック組立装置は、内部にバッテリーセルを収容するように構成され、第１ハウジング及び第２ハウジングを含むハウジングユニットを含むバッテリーパックを組み立てるように構成することができ、第１ハウジングの外面に形成された第１支持部に結合される第１押圧モジュールと、第２ハウジングの外面に形成された第２支持部に結合される第２押圧モジュールとを含むことができ、第１押圧モジュール及び第２押圧モジュールを互いに近接する方向に移動させて第１ハウジング及び第２ハウジングを互いに対して押圧することができる。
【００１８】
第１支持部は第１ハウジングの外面から突出することができ、第１ハウジングの周囲方向に延びることができ、第１押圧モジュールは第１ハウジングの周囲方向に延びて第１支持部全体を押圧するように構成することができる。
【００１９】
第２支持部は第２ハウジングの外面から突出することができ、第２ハウジングの周囲方向に延びることができ、第２押圧モジュールは第２ハウジングの周囲方向に延びて第２支持部全体を押圧するように構成することができる。
【発明の効果】
【００２０】
本発明の実施例によるバッテリーパックによれば、バッテリーパックのハウジングユニットを構成する第１ハウジング及び第２ハウジングがそれぞれ第１支持部及び第２支持部を備え、バッテリーパック組立装置の第１押圧モジュール及び第２押圧モジュールによって第１支持部及び第２支持部を互いに対して押圧することにより、第１ハウジングの第１接触面及び第２ハウジングの第２接触面が緊密に密着することができる。よって、第１接触面及び第２接触面を緊密に密着した状態で互いに溶接することができるので、第１接触面及び第２接触面を均一に溶接することができ、溶接不良が発生することを防止することができる。
【００２１】
本明細書に添付する次の図面は本発明の好適な実施例を例示するものであり、後述する発明の詳細な説明とともに本発明の技術思想をもっと理解させる役割を果たすものであるので、本発明はその図面に記載した事項のみに限定されて解釈されてはいけない。
【図面の簡単な説明】
【００２２】
【図１】本発明の第１実施例によるバッテリーパックを概略的に示す斜視図である。
【図２】本発明の第１実施例によるバッテリーパックを概略的に示す断面図である。
【図３】本発明の第１実施例によるバッテリーパックのハウジングユニットを組み立てる過程を概略的に示す断面図である。
【図４】本発明の第２実施例によるバッテリーパックを概略的に示す断面図である。
【図５】本発明の第３実施例によるバッテリーパックを概略的に示す断面図である。
【発明を実施するための形態】
【００２３】
以下、添付図面を参照して本発明の実施例によるバッテリーパック及びバッテリーパック組立装置について説明する。
【００２４】
本発明の実施形態は通常の技術者に本発明をより完全に説明するために提供するものであるので、図面での構成要素の形状及び大きさなどは、より明確な説明のために、誇張するか省略するか又は概略的に図示することができる。したがって、各構成要素の大きさ又は比率は実在の大きさ又は比率をそのまま反映するものではない。
【００２５】
以下、添付図面を参照して本発明の好適な実施例を詳細に説明する。この説明に先立ち、本明細書及び特許請求の範囲に使用した用語又は単語は通常的又は辞書的意味に限定して解釈されてはいけなく、発明者は自分の発明を最良の方法で説明するために用語の概念を適切に定義することができるという原則に即して本発明の技術的思想に合う意味と概念に解釈されなければならない。
【００２６】
図１は本発明の第１実施例によるバッテリーパックを概略的に示す斜視図、図２は本発明の第１実施例によるバッテリーパックを概略的に示す断面図である。
【００２７】
図１及び図２に示すように、本発明の第１実施例によるバッテリーパックは、内部空間を有するハウジングユニット１００と、ハウジングユニット１００に形成される貫通ホール（図示せず）を通して外部に露出される電極ターミナル２１０、２２０と、ハウジングユニット１００の内部に配置され、複数のバッテリーセル３１０を有するバッテリーモジュール３００とを含む。
【００２８】
図１に示すように、電極ターミナル２１０、２２０は図１の上方に露出されるように構成することができる。
【００２９】
図１に示すように、ハウジングユニット１００は略直方体の形状を有することができるが、本発明はこのようなハウジングユニット１００の形状に限定されない。ハウジングユニット１００はバッテリーモジュール３００を外部環境から保護する役割をする。
【００３０】
ハウジングユニット１００は、第１ハウジング（上部ハウジング）１１０及び第２ハウジング（下部ハウジング）１２０を含む。第１ハウジング１１０及び第２ハウジング１２０を互いに結合することにより、ハウジングユニット１００の内部にバッテリーモジュール３００を収容する内部空間を形成することができる。
【００３１】
第２ハウジング１２０の内部には複数のバッテリーセル３１０を収容することができる。例えば、バッテリーセル３１０はパウチ型バッテリーセルであってもよい。パウチ型バッテリーセル３１０は、複数の電極板を分離膜を挟んで積層して構成される電極組立体と、電極組立体を包むパウチとを含むことができる。第２ハウジング１２０は、バッテリーセル３１０の幅及び長さにそれぞれ対応する幅及び高さを有するバッテリーセル収容空間を有することができる。
【００３２】
第１ハウジング１１０及び第２ハウジング１２０はプラスチックからなることができる。第１ハウジング１１０及び第２ハウジング１２０は溶接（例えば、超音波溶接又はレーザー溶接）によって互いに接合することができる。第１ハウジング１１０及び第２ハウジング１２０が溶接によって互いに接合されることにより、ハウジングユニット１００の内部は防塵及び防水の構造を有することができる。
【００３３】
第１ハウジング１１０は、第１ハウジング１１０の周囲方向に沿って連続的に形成される第１接触面１１１を備える。第２ハウジング１２０は、第２ハウジング１２０の周囲方向に沿って連続的に形成され、第１ハウジング１１０の第１接触面１１１に対向する第２接触面１２１を備える。第１ハウジング１１０の第１接触面１１１及び第２ハウジング１２０の第２接触面１２１は互いに対応する形状を有し、互いに緊密に接触するように形成される。
【００３４】
第１接触面１１１及び第２接触面１２１はそれぞれ溶接面としての機能を果たす。第１接触面１１１及び第２接触面１２１は互いに対して押圧された状態で溶接される。例えば、第１接触面１１１及び第２接触面１２１が互いに緊密に接触した状態で、第１接触面１１１及び第２接触面１２１の間に超音波振動又はレーザービームが印加されれば、第１接触面１１１を成す材料及び第２接触面１２１を成す材料が溶融して互いに融着し、これにより、第１ハウジング１１０及び第２ハウジング１２０を互いに接合することができる。
【００３５】
第１接触面１１１及び第２接触面１２１を互いに押圧することができるように、第１ハウジング１１０及び第２ハウジング１２０を互いに対して押圧して溶接するバッテリーパック組立装置４００を備える。
【００３６】
図３は本発明の第１実施例によるバッテリーパックのハウジングユニットを組み立てる過程を概略的に示す断面図である。
【００３７】
図３に示すように、バッテリーパック組立装置４００は、第１ハウジング１１０と接触して第１ハウジング１１０を第２ハウジング１２０に向けて押圧する第１押圧モジュール４１０と、第２ハウジング１２０と接触して第２ハウジング１２０を第１ハウジング１１０に向けて押圧する第２押圧モジュール４２０と、第１押圧モジュール４１０及び第２押圧モジュール４２０を互いに近接する方向に移動させるように制御する制御モジュール（図示せず）と、第１押圧モジュール４１０及び第２押圧モジュール４２０によって押圧された第１ハウジング１１０の第１接触面１１１及び第２ハウジング１２０の第２接触面１２１を互いに溶接する溶接モジュール（図示せず）とを含むことができる。
【００３８】
第１押圧モジュール４１０及び第２押圧モジュール４２０は、例えば空圧又は油圧によって作動するアクチュエーター、電磁気的相互作用を用いるリニアモーター、ボールスクリュー装置などの直線移動機構と連結して互いに近接するか離隔するように移動するように構成することができる。第１押圧モジュール４１０及び第２押圧モジュール４２０は互いに近接するように移動して第１ハウジング１１０及び第２ハウジング１２０を互いに対して押圧することができる。
【００３９】
溶接モジュールは、第１押圧モジュール４１０及び第２押圧モジュール４２０によって押圧された第１ハウジング１１０の第１接触面１１１及び第２ハウジング１２０の第２接触面１２１に超音波振動又はレーザービームを印加するように構成することができる。
【００４０】
第１ハウジング１１０及び第２ハウジング１２０が第１押圧モジュール４１０及び第２押圧モジュール４２０によって互いに対して押圧されるので、第１接触面１１１及び第２接触面１２１が互いに対して押圧されて完全に接触することができる。第１接触面１１１及び第２接触面１２１を完全に接触することができるので、第１接触面１１１及び第２接触面１２１を均一に溶接することができる。
【００４１】
図３に示すように、第１ハウジング１１０を第１押圧モジュール４１０によって押圧することができるように、第１ハウジング１１０の外面には、第１押圧モジュール４１０と接触する第１支持部１１２を備えることができる。第１支持部１１２は第１ハウジング１１０の外面から外側に突出することができる。例えば、第１支持部１１２は第１ハウジング１１０の外面から外側に突出して第１接触面１１１を含むフランジ形状に形成することができる。この場合、第１支持部１１２は第１ハウジング１１０の外面から突出し、第１ハウジング１１０の周囲方向に連続的に延びて第１接触面１１１を形成することができる。
【００４２】
また、図３に示すように、第２ハウジング１２０を第２押圧モジュール４２０によって押圧することができるように、第２ハウジング１２０の外面には、第２押圧モジュール４２０と接触する第２支持部１２２を備えることができる。第２支持部１２２は第２ハウジング１２０の外面から外側に突出することができる。例えば、第２支持部１２２は第２ハウジング１２０の外面から外側に突出して第２接触面１２１を含むフランジ形状に形成することができる。この場合、第２支持部１２２は第２ハウジング１２０の外面から突出し、第２ハウジング１２０の周囲方向に連続的に延びて第２接触面１２１を形成することができる。
【００４３】
例えば、第１押圧モジュール４１０は第１ハウジング１１０の周囲方向に延びて第１支持部１１２の全体を押圧するように構成することができる。同様に、第２押圧モジュール４２０は第２ハウジング１２０の周囲方向に延びて第２支持部１２２の全体を押圧するように構成することができる。
【００４４】
本発明の第１実施例によるバッテリーパックによれば、バッテリーパックのハウジングユニット１００を構成する第１ハウジング１１０及び第２ハウジング１２０がそれぞれ第１支持部１１２及び第２支持部１２２を備え、バッテリーパック組立装置４００の第１押圧モジュール４１０及び第２押圧モジュール４２０によって第１支持部１１２及び第２支持部１２２が互いに対して押圧されることにより、第１ハウジング１１０の第１接触面１１１及び第２ハウジング１２０の第２接触面１２１が緊密に完全に密着することができる。よって、第１接触面１１１及び第２接触面１２１を緊密に密着した状態で互いに溶接することができるので、第１接触面１１１及び第２接触面１２１を均一に溶接することができ、溶接不良が発生することを防止することができる。
【００４５】
また、本発明の第１実施例によるバッテリーパックによれば、第１押圧モジュール４１０及び第２押圧モジュール４２０の押圧力が第１支持部１１２の全体及び第２支持部１２２の全体に伝達されるので、第１接触面１１１及び第２接触面１２１をより緊密に接触して押圧することができる。
【００４６】
また、本発明の第１実施例によるバッテリーパックによれば、第１支持部１１２及び第２支持部１２２がそれぞれ第１接触面１１１及び第２接触面１２１を含むフランジ形状に形成されるので、第１押圧モジュール４１０及び第２押圧モジュール４２０によって第１支持部１１２及び第２支持部１２２が押圧されることにより、第１接触面１１１及び第２接触面１２１をより緊密に接触させて押圧することができる。
【００４７】
以下、図４を参照して本発明の第２実施例によるバッテリーパックについて説明する。前述した第１実施例で説明した構成要素と同じ構成要素に対しては同じ符号を付与し、これについての詳細な説明は省略する。
【００４８】
図４は本発明の第２実施例によるバッテリーパックを概略的に示す断面図である。
【００４９】
図４に示すように、本発明の第２実施例によるバッテリーパックの場合、第１ハウジング１１０を第１押圧モジュール４１０によって押圧することができるように、第１ハウジング１１０の外面には第１押圧モジュール４１０と接触する第１支持部１１２を備えることができる。第１支持部１１２は第１ハウジング１１０の外面から外側に突出するリブ形状を有することができる。第１支持部１１２は第２支持部１２２から離隔するように配置することができる。第１接触面１１１は第１支持部１１２から下方に延びる端部に形成することができる。この場合、第１支持部１１２は第１ハウジング１１０の周囲方向に連続的に延びることができる。他の例として、複数の第１支持部１１２は第１ハウジング１１０の周囲方向に所定の間隔で形成することができる。
【００５０】
また、第２ハウジング１２０を第２押圧モジュール４２０によって押圧することができるように、第２ハウジング１２０の外面には第２押圧モジュール４２０と接触する第２支持部１２２を備えることができる。第２支持部１２２は第２ハウジング１２０の外面から外側に突出することができる。例えば、第２支持部１２２は第２ハウジング１２０の外面から外側に突出して第２接触面１２１を含むフランジ形状に形成することができる。この場合、第２支持部１２２は第２ハウジング１２０の外面から突出し、第２ハウジング１２０の周囲方向に連続的に延びて第２接触面１２１を形成することができる。
【００５１】
本発明の第２実施例によるバッテリーパックによれば、第１押圧モジュール４１０及び第２押圧モジュール４２０によって第１支持部１１２及び第２支持部１２２を押圧することにより、第１接触面１１１及び第２接触面１２１を緊密に密着させることができるので、第１接触面１１１及び第２接触面１２１を均一に溶接することができる。
【００５２】
また、本発明の第２実施例によるバッテリーパックによれば、第１ハウジング１１０の第１接触面１１１と第１ハウジング１１０の第１支持部１１２が別個に分離されて形成されるので、第１押圧モジュール４１０の押圧位置による第１ハウジング１１０の第１支持部１１２の位置を第１接触面１１１の位置に関係なく自由に設計することができる。
【００５３】
以下、図５を参照して本発明の第３実施例によるバッテリーパックについて説明する。前述した第１実施例及び第２実施例で説明した構成要素と同じ構成要素に対しては同じ符号を付与し、これについての詳細な説明は省略する。
【００５４】
図５は本発明の第３実施例によるバッテリーパックを概略的に示す断面図である。
【００５５】
図５に示すように、本発明の第３実施例によるバッテリーパックの場合、第１ハウジング１１０を第１押圧モジュール４１０によって押圧することができるように、第１ハウジング１１０の外面には第１押圧モジュール４１０と接触する第１支持部１１２を備えることができる。第１支持部１１２は第１ハウジング１１０の外面から外側に突出することができる。例えば、第１支持部１１２は第１ハウジング１１０の外面から外側に突出し、第１接触面１１１を含むフランジ形状に形成することができる。この場合、第１支持部１１２は第１ハウジング１１０の外面から突出し、第１ハウジング１１０の周囲方向に連続的に延びて第１接触面１１１を形成することができる。
【００５６】
また、第２ハウジング１２０を第２押圧モジュール４２０によって押圧することができるように、第２ハウジング１２０の外面には第２押圧モジュール４２０と接触する第２支持部１２２を備えることができる。第２支持部１２２は第２ハウジング１２０の外面から外側に突出するリブ形状を有することができる。第２支持部１２２は第１支持部１１２から離隔するように配置することができる。第２接触面１２１は第２支持部１２２から上方に延びる端部に形成することができる。この場合、第２支持部１２２は第２ハウジング１２０の周囲方向に連続的に延びることができる。他の例として、複数の第２支持部１２２を第２ハウジング１２０の周囲方向に所定の間隔で形成することができる。
【００５７】
本発明の第３実施例によるバッテリーパックによれば、第１押圧モジュール４１０及び第２押圧モジュール４２０によって第１支持部１１２及び第２支持部１２２を押圧することにより、第１接触面１１１及び第２接触面１２１が緊密に密着することができるので、第１接触面１１１及び第２接触面１２１を均一に溶接することができる。
【００５８】
また、本発明の第３実施例によるバッテリーパックによれば、第２ハウジング１２０の第２接触面１２１と第２ハウジング１２０の第２支持部１２２が別個に分離されて形成されるので、第２押圧モジュール４２０の押圧位置による第２ハウジング１２０の第２支持部１２２の位置を第２接触面１２１の位置に関係なく自由に設計することができる。
【００５９】
本発明の実施例によるバッテリーパックは、バッテリーパックを電源として含むデバイスに適用可能である。
【００６０】
例えば、デバイスは、コンピュータ、携帯電話、ウェアラブル電子機器、動力工具（power tool）、電気自動車（Ｅｌｅｃｔｒｉｃ  Ｖｅｈｉｃｌｅ：ＥＶ）、ハイブリッド電気自動車、プラグインハイブリッド電気自動車、電気二輪車、電気ゴルフカート、又は電力貯蔵装置であり得る。電力貯蔵装置は、電力需給の調節のためのスマートグリッドシステム又は電気自動車の充電所などの多くの分野及び場所に適用可能である。
【００６１】
本発明の好適な実施例を例示的に説明したが、本発明の範囲はこのような特定の実施例に限定されず、請求範囲に記載した範疇内で適切に変更可能である。
【符号の説明】
【００６２】
１００  ハウジングユニット
１１０  第１ハウジング
１１１  第１接触面
１１２  第１支持部
１２０  第２ハウジング
１２１  第２接触面
１２２  第２支持部
３１０  パウチ型バッテリーセル（バッテリーセル）
４００  バッテリーパック組立装置
４１０  第１押圧モジュール
４２０  第２押圧モジュール
【図１】
2021516426.tif 000003
【図２】
2021516426.tif 000004
【図３】
2021516426.tif 000005
【図４】
2021516426.tif 000006
【図５】
2021516426.tif 000007
【国際調査報告】
2021516426.tif 000008
2021516426.tif 000009
2021516426.tif 000010
2021516426.tif 000011